(57)【要約】      （修正有）【課題】クラムシェルタイプのプリンタ装置に適用されるサーマルプリンタモジュールに関し、プリンタ装置の低背化を図る。【解決手段】ヘッド圧付与用の板ばね部材３４の先端にサーマルヘッド３２を有するサーマルヘッド組立体３１は装置の筺体に板部１２に沿うように配置されて取り付けられ、フレーム５１にプラテンローラ７１を回転させるパルスモータ６８が取り付けてある本体組立体５０は、サーマルヘッド組立体３１を覆って装置の筺体に取り付けられる。プラテンローラ７１がホルダ７５内に支持してあるプラテンローラ組立体７０は開閉蓋１５に取り付けられる。サーマルヘッド組立体３１の配置によってサーマルプリンタモジュール３０の低背化が図られ、サーマルヘッド組立体３１の配置によりフレーム５１内に用紙ロール収容空間が形成され、これによって、フレーム５１の高さ範囲内に用紙ロール収容空間が形成され、プリンタ装置は低背化が図られる。【選択図】図４
2010131915.tif 000002
【特許請求の範囲】
【請求項１】
開閉蓋が装置本体に対して回動して開閉するクラムシェルタイプのプリンタ装置に適用されるプリンタモジュールにおいて、
ヘッドを有する構成であり、前記装置本体に取り付けられるヘッド組立体と、
フレームに後記のプラテンローラを回転させるモータが取り付けてある構成であり、前記ヘッド組立体を覆って前記装置本体に取り付けられる本体組立体と、
前記開閉蓋に取り付けられるプラテンローラを有する、プリンタモジュール。
【請求項２】
前記本体組立体は、フレームを有し、
該フレームは、基準突起を有し、
前記ヘッド組立体は、前記基準突起と嵌合する凹部を有し、
前記サーマルヘッド組立体は、前記凹部が前記基準突起に嵌合されて前記フレームに対して位置を決められた状態で、前記装置本体に取り付けられる、請求項１又は請求項２記載のプリンタモジュール。
【請求項３】
前記本体組立体は、フレームを有し、
該フレームは、離間対向している側板部と、該離間対向している側板部の間を横架する横架部とを有し、
前記離間対向する側板部と前記横架部が、用紙ロールを収容する用紙ロール収容空間を形成する、請求項１又は請求項２記載のプリンタモジュール。
【請求項４】
前記プラテンローラは、該プラテンローラの軸と嵌合して該プラテンローラを囲むホルダを有し、
前記本体組立体は、フレームを有し、
該フレームは、前記開閉蓋が閉じたときに前記プラテンローラの軸をロックするロック用切り欠き部と、前記ホルダの角部と対向するホルダガイド部を有し、
前記プラテンローラの軸が前記ロック用切り欠き部に係合されてロックされている状態で、前記ホルダを回動操作すると、前記ホルダの一部が前記ホルダガイド部に沿って移動し、前記ホルダが変位されて、前記プラテンローラの軸が前記ロック用切り欠き部から抜け出る、請求項１記載のプリンタモジュール。
【請求項５】
前記ホルダは、前記開閉蓋が閉じた状態で、細くなった用紙ロールを受け止めて該細くなった用紙ロールが用紙通路内に噛み込まれることを防止する用紙ロール噛み込み防止部を有する、請求項４記載のプリンタモジュール。
【請求項６】
前記ホルダは、張り出しており、前記ホルダを回動操作するときに使用される操作部を有する、請求項４記載のプリンタモジュール。
【請求項７】
前記本体組立体のフレームは、前記横架部より前記用紙ロール収容空間に対して反対の方向に張り出している張出し部を有し、
前記モータが、該張出し部に取り付けてある、請求項３記載のプリンタモジュール。
【請求項８】
前記本体組立体は、フレームを有し、
該フレームは、前記横架部より一方の側に前記開閉蓋が閉じたときに前記プラテンローラの軸をロックするロック用切り欠き部を有し、
前記張出し部は、前記フレームのうち前記ロック用切り欠き部に対応する箇所に存在している、請求項７記載のプリンタモジュール。
【請求項９】
前記本体組立体は、フレームを有し、
該フレームは、前記横架部より一方の側に前記開閉蓋が閉じたときに前記プラテンローラの軸をロックするロック部を有し、前記横架部に対して前記ロック部とは反対側に張り出している張出し部を有し、
前記モータが、該張出し部に取り付けてある、請求項３記載のプリンタモジュール。
【請求項１０】
開閉蓋が装置本体に対して回動して開閉するクラムシェルタイプのプリンタ装置に適用されるプリンタモジュールにおいて、
ヘッドを有する構成であり、前記装置本体に取り付けられるヘッド組立体と、
フレームに後記のプラテンローラを回転させるモータが取り付けてある構成であり、前記ヘッド組立体を覆って前記装置本体に取り付けられる本体組立体と、
前記開閉蓋に取り付けられるプラテンローラを有し、
前記本体組立体は、フレームを有し、
該フレームは、離間対向している側板部と、該離間対向している側板部の間を横架する横架部とを有し、
前記離間対向する側板部と前記横架部とによって形成された用紙ロール収容空間を有し、
前記側板部は、前記用紙ロール収容空間に対して、前記開閉蓋が閉じたときにロックされる箇所とは反対側に張り出している張出し部を有する構成であり、
前記モータが、該張出し部に取り付けてあり、その一部が前記用紙ロール収容空間に進入している、プリンタモジュール。
【請求項１１】
開閉蓋が装置本体に対して回動して開閉するクラムシェルタイプのプリンタ装置に適用されるプリンタモジュールにおいて、
ヘッドを有する構成であり、前記装置本体に取り付けられるヘッド組立体と、
フレームに後記のプラテンローラを回転させるモータが取り付けてある構成であり、前記ヘッド組立体を覆って前記装置本体に取り付けられる本体組立体と、
前記開閉蓋に取り付けられるプラテンローラを有し、
前記本体組立体は、フレームを有し、
該フレームは、離間対向している側板部と、該離間対向している側板部の間を横架する横架部とを有し、
前記離間対向する側板部と前記横架部とによって形成された用紙ロール収容空間を有し、
前記側板部は、前記用紙ロール収容空間に対して、前記開閉蓋が閉じたときにロックされる箇所とは反対側に張り出している張出し部を有し、
前記横架部は、モータ覆い部を有する構成であり、
前記モータが、該張出し部に取り付けてあり、該モータ覆い部によって覆われている、プリンタモジュール。
【請求項１２】
開閉蓋が装置本体に対して回動して開閉するクラムシェルタイプのプリンタ装置に適用されるプリンタモジュールにおいて、
ヘッド圧付与用の板ばね部材の先端にヘッドを有してなり、且つ、前記板ばね部材のフランジ部に後記のプラテンローラを回転させるモータが取り付けてあり、前記板ばね部材の板状基部を前記装置本体に取り付けられるヘッド組立体と、
前記モータの回転を後記のプラテンローラに伝達するギヤ列が取り付けてあり、前記装置本体に取り付けられる本体組立体と、
プラテンローラがホルダ内に支持してなり、前記開閉蓋に取り付けられるプラテンローラ組立体を有する、プリンタモジュール。
【請求項１３】
開閉蓋が装置本体に対して回動して開閉するクラムシェルタイプのプリンタ装置に適用されるプリンタモジュールにおいて、
ヘッド圧付与用の板ばね部材の先端にヘッドを有してなり、且つ、前記板ばね部材のフランジ部にモータ及び該モータの回転を後記のプラテンローラに伝達するギヤ列が取り付けてある構成であり、前記板ばね部材の板状基部を前記装置本体に取り付けられるヘッド組立体と、
前記装置本体に取り付けられる本体組立体と、
プラテンローラがホルダ内に支持してなり、前記開閉蓋に取り付けられるプラテンローラ組立体を有する、プリンタモジュール。
【請求項１４】
前記プラテンローラは、該プラテンローラの軸と嵌合して支持してあり、該プラテンローラを囲むホルダを有する、請求項１２又は１３記載のプリンタモジュール。
【請求項１５】
前記ヘッド組立体は、ヘッド圧付与用の板ばね部材の先端にヘッドを有する構成であり、前記板ばね部材は、前記装置本体に取り付けられる板状基部を有する、請求項１、１０、１１のうち何れか一項に記載のプリンタモジュール。
【請求項１６】
前記ヘッド組立体は、板部材と、該板部材の先端に設けたヘッドと、該板部材に作用してヘッド圧を付与するヘッド圧付与用ばね部材とを有する、請求項１、１０、１１のうち何れか一項に記載のプリンタモジュール。
【請求項１７】
前記ヘッド組立体は、トーションばね部材と、該トーションばね部材の先端に設けたヘッドとを有する、請求項１、１０、１１のうち何れか一項に記載のプリンタモジュール。
【請求項１８】
請求項１乃至１７のうち何れか一項に記載のプリンタモジュールが取り付けられた、プリンタ装置。
【請求項１９】
請求項１８に記載のプリンタ装置を備えた電子装置。
【発明の詳細な説明】
【技術分野】
【０００１】
本発明はプリンタモジュールに係り、特に、クラムシェルタイプのプリンタ装置に適用されるプリンタモジュールに関する。
【背景技術】
【０００２】
クラムシェルタイプとは、開閉蓋と装置本体とに夫々モジュールが取り付けてあり、開閉蓋が回動して閉じたときに、モジュール同士が結合されてプリンタが形成されるタイプをいう。
【０００３】
クラムシェルタイプのプリンタ装置は、据え置き型の電子装置の一部に、或いは携帯型の電子装置の一部に設けられて、使用される。特に、携帯型電子装置に設ける場合には、小型であることが要求される。
【０００４】
クラムシェルタイプのプリンタ装置に適用される従来のプリンタモジュールは、フレームにサーマルヘッド、ヘッド圧付勢板ばね部材、モータ、ギヤ列、プラテンローラロック機構等が組み込んである構成の第１のモジュールと、プラテンローラ等が組み込んである構成の第２のモジュールとが組み合わされた構成である。
【特許文献１】特開２００５−０８１７７４号公報
【発明の開示】
【発明が解決しようとする課題】
【０００５】
特に、第１のモジュールが、モータ、ギヤ列、プラテンローラロック機構の他に、サーマルヘッド、ヘッド圧付勢板ばね部材を備えた構成であるので、サイズが大きくなりがちであった。このため、プリンタモジュールのサイズの小型化、特に低背化が図り難くなっていた。また、用紙ロールは、組み合わされた第１、第２のモジュールの外側、例えば下側に収容される構成であった。このため、プリンタ装置のサイズの小型化、特に低背化が図り難くなっていた。
【０００６】
そこで、本発明は、上記課題を解決したプリンタモジュールを提供することを目的とする。
【課題を解決するための手段】
【０００７】
本発明は、開閉蓋が装置本体に対して回動して開閉するクラムシェルタイプのプリンタ装置に適用されるプリンタモジュールにおいて、
ヘッドを有する構成であり、前記装置本体に取り付けられるヘッド組立体と、
フレームに後記のプラテンローラを回転させるモータが取り付けてある構成であり、前記ヘッド組立体を覆って前記装置本体に取り付けられる本体組立体と、
前記開閉蓋に取り付けられるプラテンローラを有する、構成である。
【発明の効果】
【０００８】
従来のプリンタモジュールにおける第１のモジュールを、ヘッド組立体と本体組立体とに分け、ヘッド組立体は装置本体に取り付けられ、本体組立体はヘッド組立体を覆うようにして装置本体に取り付ける構成であるため、プリンタモジュールを従来に比較して小型化、低背化することが可能となる。
【発明を実施するための最良の形態】
【０００９】
次に発明を実施するための最良の形態について説明する。
【実施例１】
【００１０】
図１（Ａ）、（Ｂ）は本発明の実施例１になるサーマルプリンタモジュール３０が適用された電子装置の一例であるクレジットカード決済装置１を示す。Ｘ１−Ｘ２は幅方向、Ｙ１−Ｙ２は長手方向、Ｚ１−Ｚ２は高さ方向である。
【００１１】
装置本体としてのクレジットカード決済装置１は、携帯型であり、扁平な直方体であり、操作者が一方の手に持って支持し、別の手で操作する構成のものであり、上面２のＸ２側にスキャンされたクレジットカードの番号を磁気的に読み取るクレジットカードリーダ３、Ｙ２側に液晶ディスプレイ４、Ｙ１側にキーパッド５を有する。装置１は。下面６のＹ２側に、サーマルプリンタ装置２０を備えている。装置１の内部には、バッテリ７が組み込んである。
【００１２】
操作者がクレジットカードをクレジットカードリーダ３で読み取り、キーパッド５に入力操作を行うと、サーマルプリンタ装置２０が動作し、印字された用紙９２が出口８から送り出される。
【００１３】
サーマルプリンタ装置２０が装置１のうち下面６のＹ２側の箇所に設けてあるので、装置１はその上面２の全面が表示装置及び入力装置等に利用可能となっている。
【００１４】
サーマルプリンタ装置２０を上記のように配置するために、装置１の筺体１０は、図２に示すように、下面６のＹ２側の箇所に、サーマルプリンタモジュール３０が収まるための凹部１１を有し、且つ、凹部１１を覆う開閉蓋１５が取り付けてある。１２は筺体１０の凹部１１の底の部分の平らな板部である。開閉蓋１５は、下面６のうち凹部１１の縁の箇所に、軸１６によって支持してあり、軸１６を支点に回動する。
【００１５】
[サーマルプリンタモジュール３０]
図２は図１（Ｂ）中のサーマルプリンタ装置２０を拡大して示し、図３はサーマルプリンタモジュール３０を示し、図４はサーマルプリンタモジュール３０を分解して示す。
【００１６】
サーマルプリンタモジュール３０は、サーマルヘッド組立体３１と、本体組立体５０と、プラテンローラ組立体７０とを有する。
【００１７】
後述するように、サーマルヘッド組立体３１は、本体組立体５０と共に、装置１の筺体１０に取り付けられ、プラテンローラ組立体７０は開閉蓋１５の先端に取り付けられ、開閉蓋１５が閉じた状態で、サーマルプリンタ装置２０が構成される。
【００１８】
[サーマルヘッド組立体３１]
図４及び図５に示すように、サーマルヘッド組立体３１は、ヘッドとしてサーマルヘッド３２が放熱板（ヒートシンク）３３に貼り付けてあり、この放熱板３３がヘッド圧付与用の板ばね部材３４の先端のサーマルヘッド取り付け部３５に貼り付けてある構成である。サーマルヘッド取り付け部３５は、Ｘ１−Ｘ２方向の両側に、位置決め用の凹部３６を有し、サーマルヘッド３２は、発熱部３２ａが両側の凹部３６を結ぶ線と一致するようにして取り付けてある。凹部３６は、Ｚ１方向に折り曲げてある折り曲げ部３７のＺ１側の端に形成してある。
【００１９】
板ばね部材３４は、Ｙ１側の板状基部３８と、板状基部３８からＹ２方向に、斜め下方向に延在する板ばね腕部３９と、この板ばね腕部３９の先端のサーマルヘッド取り付け部３５とを有する。
【００２０】
板状基部３８には、Ｙ１−Ｙ２方向に長い二つの取り付け用長孔４０がＸ１−Ｘ２方向に並んで形成してあり、且つ、Ｙ１側の縁に２つの切欠４１が形成してある。
【００２１】
また、サーマルヘッド３２からは、フレキシブル基板（ＦＰＣ）（図示せず）が延びている。
【００２２】
[本体組立体５０]
図４及び図６に示すように、本体組立体５０は、Ｚ１側から見てＵ字形状のフレーム５１に、減速ギヤ列６７と、パルスモータ６８が取り付けてある構成である。
【００２３】
Ｕ字形状のフレーム５１は、合成樹脂製であり、Ｘ２側の側板部５２と、Ｘ１側のギヤ収容箱部５３と、側板部５２と箱部５３との間を横架する用紙ガイド部（横架部）５４とを有する。箱部５３は、Ｘ２側に側板部５５を有する。
【００２４】
離間対向している側板部５２、５５の対向する面には、Ｘ２側から見て同じ位置に、基準突起としての基準ピン状突起５６と、ロック用切り欠き部５７と、ホルダガイド部５８が形成してある。
【００２５】
基準ピン状突起５６は、側板部５２、５５のＺ１側の縁に近い箇所に配置してある。
【００２６】
ロック用切り欠き部５７は、逆Ｌ字形状であり、Ｚ２側に入口５７ａを有し、Ｙ１方向に延在する部分の奥に、プラテンローラの軸を保持する軸ロック部５７ｂを有し、軸ロック部５７ｂのＹ２側に山部５７ｃを有する。基準ピン状突起５６と軸保持部５７ｂは基準ピン状突起５６の中心を通るＺ軸線５９上に位置している。
【００２７】
ホルダガイド部５８は、突段状であって、軸ロック部５７ｂよりＹ１側であって軸ロック部５７ｂに近い箇所に配置してあり、基準ピン状突起５６の方向に延在しており、後述するように、プラテンローラのロックを解除させるときに、ホルダ７５を移動させるようにガイドする。
【００２８】
用紙ガイド部５４は、その下面に用紙をガイドするように湾曲した用紙ガイド面６０（図８参照）を有し、且つ、Ｙ１側の箇所に取り付け用の円形の孔６１が前記の取り付け長孔４０と対応してＸ１−Ｘ２方向に並んで形成してあり、且つ、Ｙ２側の箇所に、感熱用紙を検出するフォトセンサ６２を有する。
【００２９】
離間対向する側板部５２、５５と、用紙ガイド部５４とによって囲まれた部分が、用紙ロール収容空間８５の一部を形成する。
【００３０】
ギヤ収容箱部５３内には、ギヤ６５、６６よりなる減速ギヤ列６７が組み込まれている。
【００３１】
側板部５５のうちＹ１側の縁に近い箇所に、パルスモータ６８が固定してある。パルスモータ６８の回転軸に固定してあるギヤ６９がギヤ６６と噛み合っている。パルスモータ６８はプラテンローラ７１を回転させるモータであり、減速ギヤ列６７はパルスモータ６８の回転を減速してプラテンローラ７１に伝達するものである。
【００３２】
[プラテンローラ組立体７０]
図４及び図７に示すように、プラテンローラ組立体７０は、プラテンローラ７１がホルダ７５に取り付けてある構成である。
【００３３】
プラテンローラ７１は、プラテンローラ７１を貫通して両側に突き出ているプラテンローラ軸７２を有し、プラテンローラ軸７２のＸ１端に、ギヤ７３が固定してある。
【００３４】
ホルダ７５は、合成樹脂製であり、Ｘ１−Ｘ２方向の両側の板部７６と、両側の板部７６の間を横架している用紙ロール噛み込み防止部７７と操作部７８とを有する。
【００３５】
プラテンローラ７１は、プラテンローラ軸７２の両端側の部分を、板部７６の孔７６ａに支持されて、ホルダ７５の内部に収まっている。ホルダ７５は、プラテンローラ軸７２と嵌合して、プラテンローラ７１を囲んでいる。
【００３６】
フランジ部７６は、径方向に突き出た角部７６ｂを有する。
【００３７】
用紙ロール噛み込み防止部７７は、略半円筒形状を有する。
【００３８】
操作部７８は、ホルダ７５を時計方向に回動させるときに指先で押す箇所であり、図７中、Ｚ２方向に張り出ている。
【００３９】
[サーマルプリンタ装置２０]
図２に示すように、サーマルプリンタ装置２０は、サーマルヘッド組立体２１が装置１の筺体１０に取り付けられ、本体組立体４０が同じく装置１の筺体１０に取り付けられ、プラテンローラ組立体７０は開閉蓋１５の先端に取り付けられることによって構成される。
【００４０】
サーマルヘッド組立体２１の姿勢が板部１２に沿う姿勢であり、プラテンローラ組立体７０は高さ方向（Ｚ１方向）に移動してきて最終位置に位置決めされる構成であるので、サーマルプリンタモジュール３０は、高さ寸法Ｈ１が従来のものに比較して短くなって低背化されている。
【００４１】
また、後述するように、本体組立体４０のフレーム５１の高さの範囲内に用紙ロール収容空間８５が形成されるので、プリンタ装置２０は高さ寸法Ｈ２が従来のものに比較して短くなって低背化されている。
【００４２】
[サーマルヘッド組立体２１及び本体組立体４０の装置１の筺体１０への取り付け]
装置１の筺体１０の板部１２には、図３及び図４に示すように、筒状のボス部１２ａとフック部１２ｂが、夫々サーマルヘッド組立体３１の長孔４０及び切欠４１に対応して形成してある。
【００４３】
図８及び図９に示すように、サーマルヘッド組立体２１は切欠４１をフック部１２ｂに嵌合されて、本体組立体５０と共に、ねじ８０によって共締めされて取り付けてある。
【００４４】
サーマルヘッド組立体２１及び本体組立体５０の装置１の筺体１０への取り付けは、装置１を表裏反転した姿勢で上側から行う。しかし、説明の便宜上、図１及び図２との整合性をとるために、取り付けを装置１の下側から行うようにして説明する。
【００４５】
組立作業者は、図９及び図１０（Ａ）に示すように、サーマルヘッド組立体２１については、切欠４１をフック部１２ｂに嵌合させ、長孔４０をボス部１２ａに嵌合させて位置を決め、この上に、本体組立体５０を重ねて、用紙ガイド部５４の孔６１をボス部１２ａに嵌合させ、凹部３６を基準ピン状突起５６に嵌合させて位置を決める。長孔４０とボス部１２ａとの関係でサーマルヘッド組立体２１はＹ１−Ｙ２方向に若干移動が可能な状態にあるので、凹部３６は円滑に基準ピン状突起５６に嵌合する。この状態で、図１０（Ｂ）に示すように、ねじ８０を孔６１、長孔４０を通して、ボス部１２ａにねじ込んで締める。
【００４６】
凹部３６が基準ピン状突起５６に嵌合していることよって、サーマルヘッド組立体２１は位置が決定されており、凹部３６と軸ロック部５７ｂと基準ピン状突起５６とがＺ軸線５９上に整列し、サーマルヘッド３２の発熱部３２ａはＺ軸線５９上に位置している。
【００４７】
なお、凹部３６の奥の部分と基準ピン状突起５６との間には隙間が存在しており、サーマルヘッド３２は更にＺ１方向に沈むように変位することが可能である状態である。
【００４８】
これによって、サーマルヘッド組立体２１は、サーマルヘッド３２が本体組立体５０に対して位置を決められた状態で、本体組立体５０と板部１２との間に挟まれて、装置１の筺体１０に取り付けられた状態となる。また、サーマルヘッド組立体２１は、板部１２に沿うように配置されており、サーマルヘッド３２は、板部１２に対して平行とされて、板部１２よりＺ２方向に少し浮いた高さに位置している。
【００４９】
本体組立体５０は、サーマルヘッド組立体２１を覆った状態で板部１２に取り付けてある。
【００５０】
用紙ロール収容空間８５がフレーム５１の内側に形成されているので、サーマルプリンタ装置２０は扁平な構成となっている（図２参照）。
【００５１】
また、取り付けられた本体組立体５０の用紙ガイド部５４の下側には、用紙ロール収容空間８５が存在する。
【００５２】
[プラテンローラ組立体７０の開閉蓋１５への取り付け]
図４に示すように、開閉蓋１５は、先端の両側にフランジ部１５ａを有し、このフランジ部１５ａに長孔１５ｂが形成してある。
【００５３】
プラテンローラ組立体７０は、ホルダ７５より突き出ているプラテンローラ軸７２を、長孔１５ｂに嵌合させて、開閉蓋１５の先端に取り付けてある。操作部７８を操作することによって、プラテンローラ組立体７０は長孔１５ｂの範囲内で変位が可能であり、また、ホルダ７５が限られた範囲内で回動が可能である。
【００５４】
なお、フランジ部１５ａの孔を長孔１５ｂに代えて円形の孔とし、開閉蓋１５の軸１６に嵌合する孔を長孔としてもよい。
【００５５】
[開閉蓋１５（プラテンローラ軸７２）のロック及びロック解除]
操作者は、開閉蓋１５を閉じ、閉じたときに操作部７８を操作する。プラテンローラ組立体７０は開閉蓋１５の先端側に寄せてあり、プラテンローラ軸７２は長孔１５ｂ内のＹ２側に位置している。
【００５６】
開閉蓋１５を閉じると、図１１（Ａ）、（Ｂ）に示すように、プラテンローラ軸７２が入口５７ａからロック用切り欠き部５７内に入る。図１１（Ｃ）に示すようにプラテンローラ軸７２が入口５７ａの奥に到った状態で、矢印１００で示すように、プラテンローラ組立体７０をＹ１方向に押す。この操作によって、プラテンローラ軸７２が山部５７ｃを乗り越えて、軸ロック部５７ｂに移動して、図１１（Ｄ）に示すように、山部５７ｃによってＹ２方向への移動を制限されて、軸ロック部５７ｂに係合されて保持されてロックされる。プラテンローラ軸７２が山部５７ｃを乗り越えるときに、クリック感が得られる。
【００５７】
図１１（Ｃ）、（Ｄ）に示すように、プラテンローラ７１はサーマルヘッド３２を少し押し込む。このとき、板ばね腕部３９が弾性的に撓まされ、ヘッドばね圧ＳＦが発生して、プラテンローラ７１とサーマルヘッド３２とが押し当たる。このヘッドばね圧と山部５７ｃとによって、軸ロック部５７ｂに位置を決められ、プラテンローラ７１の中心がＺ軸線５９上に位置し、プラテンローラ７１はサーマルヘッド３２の発熱部３２ａに押し当たる。
【００５８】
開閉蓋１５が閉じられる最終の段階において、プラテンローラ７１は略Ｚ１方向に移動して板部１２に接近し、板部１２と略平行とされて板部１２よりＺ２方向に浮いているサーマルヘッド３２に当たってサーマルヘッド３２を板部１２の方向に押し付ける。
【００５９】
開閉蓋１５は、ロックを解除されて開かれる。
【００６０】
ロックを解除するには、図１２（Ａ）に示すように、操作者は指先を操作部７８に当て、矢印１０１で示すように、Ｙ２方向に押して、ホルダ７５を、図１２（Ｂ）に示すように、時計方向に回動させる。このとき、ホルダ７５の角部７６ｂがホルダガイド部５８に沿って移動し、ホルダ７５がＹ２方向に移動され、プラテンローラ軸７２は山部５７ｃを乗り越えて軸ロック部５７ｂの外に出て、ロックが解除される。長孔１５ｂの箇所では、プラテンローラ軸７２は長孔１５ｂのＹ２側に移動する。
【００６１】
ロックが解除されると、図１２（Ｃ）に示すように、ヘッドばね圧ＳＦによってプラテンローラ７１がＺ２方向に移送され、開閉蓋１５が少し回動される。操作者が開閉蓋１５を開く操作をすると、図１２（Ｄ）に示すように、プラテンローラ軸７２はロック用切り欠き部５７から抜け出る。
【００６２】
上記のように、プラテンローラ軸７２をロックする機構は、フック部材を使用しないで構成してあり、サーマルプリンタ装置２０はその分、製造コストが安価となっている。
【００６３】
[サーマルプリンタ装置２０の操作及び動作]
図２に示すように、開閉蓋１５を開いた状態で、用紙ロール９０を用紙ロール収容空間８５に収め、感熱用紙９１を引き出し、開閉蓋１５を閉じ、プラテンローラ軸７２をロックさせる。感熱用紙９１はプラテンローラ７１とサーマルヘッド３２との間に挟まれる。この操作は、実際には、サーマルプリンタ装置２０が上側を向いた姿勢で行う。
【００６４】
また、図１３に併せて示すように、プラテンローラ７１はサーマルヘッド３２を押して、板ばね腕部３９を弾性的に撓ませヘッドばね圧を発生させ、プラテンローラ７１とサーマルヘッド３２とが押し当たる。プラテンローラ７１はその中心がＺ軸線５９上に位置し、プラテンローラ７１は感熱用紙９１をサーマルヘッド３２の発熱部３２ａに押し当てる。また、ギヤ７３がギヤ収容箱部５３内に入って、ギヤ６５と噛み合う。
【００６５】
以上によって、サーマルプリンタ装置２０は動作可能な状態となる。
【００６６】
印字指令によって、サーマルヘッド３２が駆動されて発熱部３２ａが発熱し、パルスモータ６８が駆動されて減速ギヤ列６７を介してプラテンローラ７１が回転され、感熱用紙９１に印字され、印字された感熱用紙９２がＹ２方向に送り出される。
【００６７】
サーマルプリンタ装置２０の内部では、感熱用紙９１は用紙ガイド面６０に案内されて、感熱用紙通路８６内を移動する。
【００６８】
感熱用紙９１が殆ど使用されて用紙ロールがその径が細くなって軽くなると、用紙ロールが感熱用紙９１によって引っ張られてＹ２方向に移動してくる。しかし、この細くなった用紙ロールは噛み込み防止部７７によって受けとめられ、感熱用紙通路８６の入口に食い込んで噛み込まれることは起きない。なお、細くなった用紙ロールが噛み込まれると、感熱用紙９１が用紙ロールから送り出されなくなって印字が正常に行われなくなるけれども、サーマルプリンタ装置２０では用紙ロールの噛み込が発生しないので、感熱用紙９１は最後まで用紙ロールから送り出され、印字は最後まで正常に行われる。また、感熱用紙９１の残りが少なくなったことが、フォトセンサ６２によって検出される。
【００６９】
[ホルダ７５の変形例]
図１４（Ａ）はホルダ７５の変形例であるホルダ７５Ａを示す。ホルダ７５Ａは、サーマルヘッドアップガイド部９５を有する。開閉蓋１５が閉じられてプラテンローラ軸７２がロックされた状態で、サーマルヘッドアップガイド部９５は、板ばね部材３４のサーマルヘッド取り付け部３５に接近して対向している。
【００７０】
図１４（Ｂ）に示すように、操作者が指先を操作部７８に引っ掛けてＹ２方向に引いて、ホルダ７５Ａを回動させると、板ばね部材３４がＺ１方向に撓まされてサーマルヘッド３２がＺ１方向に変位させると共に、プラテンローラ軸７２が山部５７ｃを乗り越えて軸ロック部５７ｂの外に出て、ロックが解除される。
【実施例２】
【００７１】
図１５は本発明の実施例２になるサーマルプリンタモジュール３０Ａが適用されたクレジットカード決済装置１Ａのサーマルプリンタ装置２０Ａの部分を示す。サーマルプリンタ装置２０Ａは、図２に示すサーマルプリンタ装置２０とは、パルスモータ６８の配置が相違しており、パルスモータ６８は装置１Ａの内部に入っている。
【００７２】
図１６はサーマルプリンタモジュール３０Ａを分解して示す。サーマルプリンタモジュール３０Ａは、サーマルヘッド組立体３１と、本体組立体５０Ａと、プラテンローラ組立体７０とを有し、本体組立体５０Ａが図４に示す本体組立体５０と相違する。
【００７３】
本体組立体５０Ａのフレーム５１Ａは、箱部５３Ａを有する。箱部５３Ａは、Ｚ１方向に張り出た張出し部１１０を有する形状である。側板部５５ＡもＺ１方向に張り出た張出し部１１１を有する形状である。張出し部１１１は、側板部５５Ａのうちロック用切り欠き部５７のＺ１側の箇所、即ち、ロック用切り欠き部５７に対応する箇所に形成してある。
【００７４】
パルスモータ６８は、張出し部１１１に取り付けてあり、用紙ガイド部５４よりもＺ１側の位置、即ち、用紙ガイド部５４に対して用紙ロール収容空間８５とは反対側であってロック用切り欠き部５７に対応する箇所に配置してある。
【００７５】
クレジットカード決済装置１Ａは、図１５に示すように、筺体１０の凹部１１の底の部分の平らな板部１２の一部にＺ１方向に凹んだ部分１１２を有する。
【００７６】
本体組立体５０Ａとサーマルヘッド組立体３１とは板部１２にネジ止めされて固定され、本体組立体５０Ａのパルスモータ６８は、上記の凹んだ部分１１２に収まっている。
【００７７】
サーマルプリンタ装置２０Ａの用紙ロール収容空間は、パルスモータ６８が突き出ていない広い空間となり、大きい径の用紙ロールを収容することが出来る。
【実施例３】
【００７８】
図１７は本発明の実施例３になるサーマルプリンタモジュール３０Ｂが適用されたクレジットカード決済装置１Ｂのサーマルプリンタ装置２０Ｂの部分を示す。サーマルプリンタ装置２０Ｂは、図２に示すサーマルプリンタ装置２０とは、パルスモータ６８の配置が相違している。
【００７９】
図１８はサーマルプリンタモジュール３０Ｂを分解して示す。サーマルプリンタモジュール３０Ｂは、サーマルヘッド組立体３１と、本体組立体５０Ｂと、プラテンローラ組立体７０とを有し、本体組立体５０Ｂが図４に示す本体組立体５０と相違する。
【００８０】
本体組立体５０Ｂのフレーム５１Ｂは、箱部５３Ｂを有する。箱部５３Ｂは、Ｙ１方向に延長されて張り出た張出し部１２０を有する形状である。側板部５５ＢもＹ１方向に張り出た張出し部１２１を有する形状である。
【００８１】
パルスモータ６８は、張出し部１２１に取り付けてあり、用紙ガイド部５４よりもＹ１側に位置しており、用紙ロール収容空間８５よりもＹ１側に配置してある。
【００８２】
箱部５３Ｂ内には、パルスモータ６８の回転を減速させてギヤ６５にまで伝達する減速ギヤ列１２２が設けてある。減速ギヤ列１２２に代えて、ベルトを設けてもよい。
【００８３】
サーマルプリンタ装置２０Ｂを扁平な構成とすることが出来、且つ、用紙ロール収容空間は、パルスモータ６８が突き出ていない広い空間となり、大きい径の用紙ロールを収容することが出来る。
【実施例４】
【００８４】
図１９は本発明の実施例４になるサーマルプリンタモジュール３０Ｃが適用されたサーマルプリンタ装置２０Ｃを示す。サーマルプリンタ装置２０Ｃは、図１７に示すサーマルプリンタ装置２０Ｂとは、パルスモータ６８の配置が相違している。パルスモータ６８はＹ２方向に寸法Ｓだけ用紙ロール収容空間８５内に進入している。
【００８５】
これによって、サーマルプリンタ装置２０Ｃは、Ｙ１−Ｙ２方向の長さがＬであり、図１７に示すサーマルプリンタ装置２０Ｂと比較して、符号Ｑで示すスペース分、短くなっている。
【００８６】
図２０はサーマルプリンタモジュール３０Ｃを分解して示す。本体組立体５０Ｃのフレーム５１Ｃの用紙ガイド部５４Ｃは、切欠部５４Ｃａを有する。パルスモータ６８はその一部が切欠部５４Ｃａに嵌合した状態で張出し部１２１Ｃに取り付けてある。
【実施例５】
【００８７】
図２１は本発明の実施例５になるサーマルプリンタモジュール３０Ｄが適用されたサーマルプリンタ装置２０Ｄを示す。サーマルプリンタ装置２０Ｄは、図１７に示すサーマルプリンタ装置２０Ｂとは、用紙ガイド部５４Ｄが相違している。
【００８８】
パルスモータ６８は、用紙ガイド部５４Ｄのモータ覆い部５４Ｄａによって覆われている。パルスモータ６８と用紙ロール収容空間８５との間が仕切られている。これによって、用紙ロール９０がパルスモータ６８と干渉しないようになる。
【００８９】
図２２はサーマルプリンタモジュール３０Ｄを分解して示す。本体組立体５０Ｄのフレーム５１Ｄの用紙ガイド部５４Ｄは、モータ覆い部５４Ｄａを有する。パルスモータ６８はその一部がモータ覆い部５４Ｄａによって覆われた状態で張出し部１２１Ｄに取り付けてある。
【実施例６】
【００９０】
図２３は本発明の実施例６になるサーマルプリンタモジュール３０Ｅを分解して示す。サーマルプリンタモジュール３０Ｅは、サーマルヘッド組立体３１Ｅと、本体組立体５０Ｅと、プラテンローラ組立体７０とを有する。
【００９１】
サーマルヘッド組立体３１Ｅは、板状基部３８のＸ１、Ｘ２側の端にＺ２方向に折り曲げてあるフランジ部１３０を有する構成の板ばね部材３４Ｅを有し、このＸ１側のフランジ部１３０にパルスモータ６８が取り付けてある構成である。
【００９２】
本体組立体５０Ｅは、フレーム５１Ｅに減速ギヤ列６７が取り付けてある構成である。
【００９３】
サーマルプリンタモジュール３０Ｅは、クレジットカード決済装置に取り付けられて、図２に示すサーマルプリンタ装置２０と同様にサーマルプリンタを構成する。サーマルヘッド組立体３１Ｅは板状基部３８が装置に固定される。
【実施例７】
【００９４】
図２４は本発明の実施例７になるサーマルプリンタモジュール３０Ｆを分解して示す。
サーマルプリンタモジュール３０Ｆは、上記のサーマルプリンタモジュール３０Ｅとは、サーマルヘッド組立体３１Ｆ及び本体組立体５０Ｆが相違する。
【００９５】
サーマルヘッド組立体３１Ｆは、板ばね部材３４Ｆのフランジ部１３０に、パルスモータ６８と、減速ギヤ列６７が取り付けてある構成である。
【００９６】
本体組立体５０Ｆはフレーム５１Ｆに減速ギヤ列６７が設けられていない構成である。
【実施例８】
【００９７】
図２５は本発明の実施例７になるサーマルプリンタモジュール３０Ｇを分解して示す。
【００９８】
サーマルプリンタモジュール３０Ｇは、図３に示すサーマルプリンタモジュール３０とは、プラテンローラ組立体７０に代えてプラテンローラ７１を有する点が相違し、サーマルヘッド組立体３１と、本体組立体５０と、プラテンローラ７１とを有する。
【００９９】
図２６は、図２５のサーマルプリンタモジュール３０Ｇを使用してなるサーマルプリンタ装置２０Ｇを示す。サーマルプリンタ装置２０Ｇは、図２のサーマルプリンタ装置２０とは、開閉蓋１５Ｇが相違する。
【０１００】
図２６（Ａ）に示すように、開閉蓋１５Ｇは、先端の両側のフランジ部１５Ｇａに円形の孔１５Ｇｂを有し、基部に長孔１５Ｇｃを有する。
【０１０１】
プラテンローラ７１のプラテンローラ軸７２が孔１５Ｇｂに支持してある。長孔１５Ｇｃが軸１６に嵌合してあり、開閉蓋１５Ｇは、長孔１５Ｇｃの範囲内で、その長手方向に移動が可能である。
【０１０２】
操作者は、長孔１５Ｇｃがプラテンローラ７１の方向に移動した状態で、開閉蓋１５Ｇを回動されて閉じ、プラテンローラ軸７２がロック用切り欠き部５７内に入った後に、開閉蓋１５ＧをＹ１方向に移動させる。これによって、図２６（Ａ）に示すように、プラテンローラ軸７２が軸ロック部５７ｂに係合されてロックされる。長孔１５Ｇｃは軸１６に対してＹ１方向に移動している。
【０１０３】
開閉蓋１５Ｇを開けるときには、操作者は、上記の閉めるときとは逆に、開閉蓋１５Ｅを一旦Ｙ２方向に移動させて、図２６（Ｂ）に示すように、ローラ軸７２を軸ロック部５７ｂから抜け出させ、その後に、開閉蓋１５Ｇを回動させる。これによって、ローラ軸７２のロックが解除されて、開閉蓋１５Ｇは開かれる。
【実施例９】
【０１０４】
図２７は本発明の実施例９になるサーマルプリンタモジュール３０Ｈを分解して示す。
【０１０５】
サーマルプリンタモジュール３０Ｈは、図２３に示すサーマルプリンタモジュール３０Ｅとは、プラテンローラ組立体７０に代えてプラテンローラ７１を有する点が相違し、サーマルヘッド組立体３１Ｃと、本体組立体５０Ｃと、プラテンローラ７１とを有する。
【０１０６】
このサーマルプリンタモジュール３０Ｈを利用してサーマルプリンタ装置を構成した場合には、開閉蓋は、Ｙ１−Ｙ２方向に若干移動可能である必要があり、図２６に示す開閉蓋１５Ｇと同じ構成とする。
【実施例１０】
【０１０７】
図２８は本発明の実施例１０になるサーマルプリンタモジュール３０Ｉを分解して示す。
【０１０８】
サーマルプリンタモジュール３０Ｉは、図２４に示すサーマルプリンタモジュール３０Ｆとは、プラテンローラ組立体７０に代えてプラテンローラ７１を有する点が相違し、サーマルヘッド組立体３１Ｃと、本体組立体５０Ｃと、プラテンローラ７１とを有する。
【０１０９】
このサーマルプリンタモジュール３０Ｉを利用してサーマルプリンタ装置を構成した場合には、開閉蓋は、Ｙ１−Ｙ２方向に若干移動可能である必要があり、図２６に示す開閉蓋１５Ｇと同じ構成とする。
【０１１０】
[サーマルヘッド組立体の変形例]
次に、サーマルヘッド組立体の変形例について説明する。
【０１１１】
図２９は第１の変形例になるサーマルヘッド組立体３１Ｊを示す。このサーマルヘッド組立体３１Ｊは、図５に示すサーマルヘッド組立体３１の板ばね部材３４に代えて、金属或いは合成樹脂製であってフレキシブル性を有する板部材２００を使用し、この板部材２００にヘッド圧付与用の圧縮コイルばね２０１を一対並べて取り付けてなる構成である。
【０１１２】
サーマルヘッド組立体３１Ｊは、図２９（Ｂ）に示すように、装置本体の板部１２に取り付けられ、圧縮コイルばね２０１は板部材２００と板部１２との間に挟まれている。プラテンローラがサーマルヘッド３２に押し当たって板部材２００が変形されたときに、圧縮コイルばね２０１が圧縮されて、ヘッド圧を付勢する。
【０１１３】
図３０は第２の変形例になるサーマルヘッド組立体３１Ｋを示す。サーマルヘッド組立体３１Ｋは、上記の圧縮コイルばね２０１に代えて、トーションばね２１０を設けた構成である。トーションばね２１０は、Ｕ字形状であり、横架部２１０ａが板部材２００を横切っており、ヘッド圧を安定に付勢する。
【０１１４】
図３１は第３の変形例になるサーマルヘッド組立体３１Ｌを示す。サーマルヘッド組立体３１Ｌは、Ｕ字形状のトーションばね２２０の先端側の横架部２２０ａにサーマルヘッド３２が取り付けてある構成である。
【０１１５】
サーマルヘッド組立体３１Ｌは、トーションばね２２０の基部２２０ｂを装置本体の板部に取り付けられる。サーマルヘッド３２はその全長に亘って横架部２２０ａによって支えられ、両側の２つの腕部２２０ｃに発生したバネ力を両側に作用されるため、ヘッド圧が安定に作用される。
【０１１６】
なお、前記の各実施例において、サーマルヘッドに代えて別のタイプの印字ヘッドを使用してもよい。
【図面の簡単な説明】
【０１１７】
【図１】本発明の実施例１になるサーマルプリンタモジュールが適用されたクレジットカード決済装置を示す図である。
【図２】図１（Ｂ）中のサーマルプリンタを拡大して示す図である。
【図３】本発明の実施例１になるサーマルプリンタモジュールの斜視図である。
【図４】図３のサーマルプリンタモジュールを分解して示す斜視図である。
【図５】サーマルヘッド組立体を分解して示す斜視図である。
【図６】本体組立体を分解して示す斜視図である。
【図７】プラテンローラ組立体を分解して示す斜視図である。
【図８】サーマルヘッド組立体と本体組立体とが装置の筺体へ取り付けられている状態を示す図である。
【図９】サーマルヘッド組立体と本体組立体との装置の筺体へ取り付けを説明するための図である。
【図１０】サーマルヘッド組立体の装置の筺体へ取り付けを説明するための図である。
【図１１】プラテンローラ軸のロックを説明するための図である。
【図１２】プラテンローラ軸のロック解除を説明するための図である。
【図１３】サーマルプリンタにおいて感熱用紙がプラテンローラとサーマルヘッドとの間に挟まれている状態を示す図である。
【図１４】ホルダの変形例を示す図である。
【図１５】本発明の実施例２になるサーマルプリンタモジュールが適用されたサーマルプリンタの部分を示す図である。
【図１６】本発明の実施例２になるサーマルプリンタモジュールを分解して示す斜視図である。
【図１７】本発明の実施例３になるサーマルプリンタモジュールが適用されたサーマルプリンタの部分を示す図である。
【図１８】本発明の実施例３になるサーマルプリンタモジュールを分解して示す斜視図である。
【図１９】本発明の実施例４になるサーマルプリンタモジュールが適用されたサーマルプリンタの部分を示す図である。
【図２０】本発明の実施例４になるサーマルプリンタモジュールを分解して示す斜視図である。
【図２１】本発明の実施例５になるサーマルプリンタモジュールが適用されたサーマルプリンタの部分を示す図である。
【図２２】本発明の実施例５になるサーマルプリンタモジュールを分解して示す斜視図である。
【図２３】本発明の実施例６になるサーマルプリンタモジュールを分解して示す斜視図である。
【図２４】本発明の実施例７になるサーマルプリンタモジュールを分解して示す斜視図である。
【図２５】本発明の実施例８になるサーマルプリンタモジュールを分解して示す斜視図である。
【図２６】図２５のサーマルプリンタモジュールが適用されたサーマルプリンタの部分を示す図である。
【図２７】本発明の実施例９になるサーマルプリンタモジュールを分解して示す斜視図である。
【図２８】本発明の実施例１０になるサーマルプリンタモジュールを分解して示す斜視図である。
【図２９】サーマルヘッド組立体の第１の変形例を示す図である。
【図３０】サーマルヘッド組立体の第２の変形例を示す図である。
【図３１】サーマルヘッド組立体の第３の変形例を示す図である。
【符号の説明】
【０１１８】
１  クレジットカード決済装置
１０  筺体
１２  板部
１５  開閉蓋
２０、２０Ｅ  サーマルプリンタ装置
３０、３０Ａ〜３０Ｉ  サーマルプリンタモジュール
３１、３１Ｃ、３１Ｊ、３１Ｋ，３１Ｌ  サーマルヘッド組立体
３２  サーマルヘッド
３４  板ばね部材
３６  凹部
３８  板状基部
３９  板ばね腕部
４０  長孔
５０、５０Ａ〜５０Ｄ  本体組立体
５１、５１Ａ〜５１Ｃ  フレーム
５２、５５  側板部
５３  ギヤ収容箱部
５４  用紙ガイド部
５４Ｃａ 切欠部
５４Ｄａ モータ覆い部
５６  基準ピン状突起
５７  ロック用切り欠き部
５７ｂ  軸ロック部
５８  ホルダガイド部
６７  減速ギヤ列
６８  パルスモータ
７０、７０Ａ  プラテンローラ組立体
７１  プラテンローラ
７２  プラテンローラ軸
７５  ホルダ
７８  操作部
１１０、１１１、１２０、１２１  張出し部
１１２  凹んだ部分
１３０  フランジ部
【図１】
2010131915.tif 000003
【図２】
2010131915.tif 000004
【図３】
2010131915.tif 000005
【図４】
2010131915.tif 000006
【図５】
2010131915.tif 000007
【図６】
2010131915.tif 000008
【図７】
2010131915.tif 000009
【図８】
2010131915.tif 000010
【図９】
2010131915.tif 000011
【図１０】
2010131915.tif 000012
【図１１】
2010131915.tif 000013
【図１２】
2010131915.tif 000014
【図１３】
2010131915.tif 000015
【図１４】
2010131915.tif 000016
【図１５】
2010131915.tif 000017
【図１６】
2010131915.tif 000018
【図１７】
2010131915.tif 000019
【図１８】
2010131915.tif 000020
【図１９】
2010131915.tif 000021
【図２０】
2010131915.tif 000022
【図２１】
2010131915.tif 000023
【図２２】
2010131915.tif 000024
【図２３】
2010131915.tif 000025
【図２４】
2010131915.tif 000026
【図２５】
2010131915.tif 000027
【図２６】
2010131915.tif 000028
【図２７】
2010131915.tif 000029
【図２８】
2010131915.tif 000030
【図２９】
2010131915.tif 000031
【図３０】
2010131915.tif 000032
【図３１】
2010131915.tif 000033